(57)【要約】【課題】広い波長領域にわたって適用可能であり、かつ大きなビーム径に対しても小型化が図られる波長板及び分割プリズム部材を提供する。【解決手段】この波長板１は、テラヘルツ波Ｔを入射させる入射面３と、入射面３から入射したテラヘルツ波Ｔを出射させる出射面４とを有するプリズム部材２を備えている。プリズム部材２は、テラヘルツ波Ｔの一部を入射させる一部入射面１３と、一部入射面１３から入射したテラヘルツ波Ｔを全反射させる複数の全反射面１５と、全反射面１５で全反射したテラヘルツ波Ｔを出射させる一部出射面１４とを有する複数の導波領域で構成されている。波長板１は、複数の導波領域を積層配置することにより、各一部入射面１３が連続してプリズム部材２の入射面３を構成し、各一部出射面１４が連続してプリズム部材２の出射面４を構成している。【選択図】図３
2015028559.tif 000002
【特許請求の範囲】
【請求項１】
テラヘルツ波を入射させる入射面と、前記入射面から入射した前記テラヘルツ波を出射させる出射面とを有するプリズム部材を備え、
前記プリズム部材は、前記テラヘルツ波の一部を入射させる一部入射面と、前記一部入射面から入射した前記テラヘルツ波を全反射させる複数の全反射面と、前記全反射面で全反射した前記テラヘルツ波を出射させる一部出射面とを有する複数の導波領域で構成され、
前記複数の導波領域を積層配置することにより、前記各一部入射面が連続して前記プリズム部材の入射面を構成し、前記各一部出射面が連続して前記プリズム部材の出射面を構成することを特徴とする波長板。
【請求項２】
隣接する前記各導波領域における前記全反射面間には、前記テラヘルツ波のエバネッセント波の浸み出し深さよりも大きな間隔の隙間部が配置されていることを特徴とする請求項１に記載の波長板。
【請求項３】
前記各導波領域において、前記一部入射面に入射する前記テラヘルツ波の入射軸と、前記一部出射面から出射する前記テラヘルツ波の出射軸とが略一致するように、前記テラヘルツ波の光軸に対する前記各全反射面の傾斜角が設定されていることを特徴とする請求項１又は２に記載の波長板。
【請求項４】
前記各導波領域において、前記テラヘルツ波の光軸に対する前記各全反射面の傾斜角は、いずれも等しくなっていることを特徴とする請求項１〜３のいずれか一項に記載の波長板。
【請求項５】
前記各導波領域において、前記複数の全反射面は、第１の全反射面、第２の全反射面、第３の全反射面及び第４の全反射面の４面で構成されていることを特徴とする請求項１〜４のいずれか一項に記載の波長板。
【請求項６】
前記プリズム部材には、前記波長板を保持部材に保持させる保持面が前記テラヘルツ波の入射軸及び出射軸と略平行に設けられていることを特徴とする請求項１〜５のいずれか一項に記載の波長板。
【請求項７】
前記導波領域を有する分割プリズム部材を複数備え、
前記プリズム部材は、前記複数の分割プリズム部材を積層配置してなることを特徴とする請求項１〜６のいずれか一項に記載の波長板。
【請求項８】
前記各分割プリズム部材には、積層方向に隣接する前記分割プリズム部材に当接する当接面が前記テラヘルツ波の入射軸及び出射軸と略平行に設けられていることを特徴とする請求項７に記載の波長板。
【請求項９】
テラヘルツ波を入射させる入射面と、前記入射面から入射した前記テラヘルツ波を出射させる出射面とを有するプリズム部材を構成する分割プリズム部材であって、
前記テラヘルツ波の一部を入射させる一部入射面と、前記一部入射面から入射した前記テラヘルツ波を全反射させる複数の全反射面と、前記全反射面で全反射した前記テラヘルツ波を出射させる一部出射面とを有する導波領域を備えることを特徴とする分割プリズム部材。
【発明の詳細な説明】
【技術分野】
【０００１】
本発明は、波長板及び分割プリズム部材に関する。
【背景技術】
【０００２】
偏光を制御する素子として波長板が知られている。光軸を中心に波長板を回転させることにより、例えば直線偏光を有する入射光を任意の方向の直線偏光を有する光に変化させることができる。従来、波長板としては、屈折率異方性を有する媒質によって構成されているものが一般的に用いられてきた。媒質に屈折率異方性が存在すると、偏光方向によって光の進む速度が変化するため、入射光の位相に対して出射光の位相が変化する。このときの位相の変化量は、光の波長に反比例する。
【０００３】
一方、波長板として、全反射に伴う位相変化を利用したいわゆるフレネルロム型の波長板がある（例えば非特許文献１参照）。フレネルロム型の波長板では、プリズムの一面から光を入射させ、プリズム内において光を全反射させることで光の位相を変化させた後に、光をプリズム外へ出射させる。
【先行技術文献】
【非特許文献】
【０００４】
【非特許文献１】光学の原理Ｉ（Ｍａｘ  Ｂｏｒｎ、Ｅｍｉｌ  Ｗｏｌｆ著）
【発明の概要】
【発明が解決しようとする課題】
【０００５】
しかしながら、媒質の屈折率異方性を利用する波長板では、位相の変化量が光の波長に反比例するため、所望の位相変化を実現できる波長領域が限られているという問題があった。したがって、例えば広い波長領域を有するテラヘルツ波に波長板を用いようとすると、波長ごとに特性の異なる波長板を準備しなければならない場合があった。
【０００６】
一方、従来のフレネルロム型の波長板では、大きなビーム径を有する光に適用する場合にプリズムの入射面を大きくすると、それに伴って光の進行方向におけるプリズムの寸法が大きくなってしまうという問題があった。そのため、波長板の取り扱いが煩雑となってしまう場合があった。
【０００７】
本発明は、上記課題の解決のためになされたものであり、広い波長領域にわたって適用可能であり、かつ大きなビーム径に対しても小型化が図られる波長板及び分割プリズム部材を提供することを目的とする。
【課題を解決するための手段】
【０００８】
本発明に係る波長板は、テラヘルツ波を入射させる入射面と、入射面から入射したテラヘルツ波を出射させる出射面とを有するプリズム部材を備え、プリズム部材は、テラヘルツ波の一部を入射させる一部入射面と、一部入射面から入射したテラヘルツ波を全反射させる複数の全反射面と、全反射面で全反射したテラヘルツ波を出射させる一部出射面とを有する複数の導波領域で構成され、複数の導波領域を積層配置することにより、各一部入射面が連続してプリズム部材の入射面を構成し、各一部出射面が連続してプリズム部材の出射面を構成することを特徴とする。
【０００９】
この波長板では、全反射を利用してテラヘルツ波の位相を変化させている。このため、位相の変化量がテラヘルツ波の波長に依存しなくなり、広い波長領域を有するテラヘルツ波に対して位相の変化量を所望の値とすることができる。また、プリズム部材は、テラヘルツ波の一部を入射させる一部入射面と、一部入射面から入射したテラヘルツ波を全反射させる複数の全反射面と、全反射面で全反射したテラヘルツ波を出射させる一部出射面とを有する複数の導波領域を有している。この導波領域では、テラヘルツ波の進行方向における寸法を抑えることが可能となる。この波長板では、テラヘルツ波のビーム径に応じて導波領域を積層配置してプリズム部材を構成するので、テラヘルツ波の進行方向におけるプリズム部材の寸法を抑えたまま、入射面及び出射面を任意の大きさに設定できる。したがって、大きなビーム径に対しても波長板の小型化が図られる。
【００１０】
隣接する各導波領域における全反射面間には、テラヘルツ波のエバネッセント波の浸み出し深さよりも大きな間隔の隙間部が配置されていることが好ましい。この場合、各導波領域を導波するテラヘルツ波同士が互いに干渉するのを防止でき、所望の位相変化を確実に得ることができる。
【００１１】
各導波領域において、一部入射面に入射するテラヘルツ波の入射軸と、一部出射面から出射するテラヘルツ波の出射軸とが略一致するように、テラヘルツ波の光軸に対する各全反射面の傾斜角が設定されていることが好ましい。この場合、テラヘルツ波の偏光制御のために波長板を回転させた際にテラヘルツ波の進行方向が変化しないので、光学系の調整が容易となる。
【００１２】
各導波領域において、テラヘルツ波の光軸に対する各全反射面の傾斜角は、いずれも等しくなっていることが好ましい。この場合、波長板の設計・製造が容易となり、高い精度で所望の位相の変化量が得られる。
【００１３】
各導波領域において、複数の全反射面は、第１の全反射面、第２の全反射面、第３の全反射面及び第４の全反射面の４面で構成されていることが好ましい。この場合、全反射面の傾斜角の最適化が可能となる。
【００１４】
プリズム部材には、波長板を保持部材に保持させる保持面がテラヘルツ波の入射軸及び出射軸と略平行に設けられていることが好ましい。この場合、保持面を用いて波長板を保持部材に容易に保持させることが可能となる。
【００１５】
波長板は、導波領域を有する分割プリズム部材を複数備え、プリズム部材は、複数の分割プリズム部材を積層配置してなることが好ましい。この場合、各導波領域を分割プリズム部材として容易に設計・製造できるため、高い精度で所望の位相の変化量が得られる。
【００１６】
各分割プリズム部材には、積層方向に隣接する分割プリズム部材に当接する当接面がテラヘルツ波の入射軸及び出射軸と略平行に設けられていることが好ましい。この場合、隣接する分割プリズム部材の当接面同士を当接させることで、好適に分割プリズム部材を積層配置することが可能となる。
【００１７】
また、本発明に係る分割プリズム部材は、テラヘルツ波を入射させる入射面と、入射面から入射したテラヘルツ波を出射させる出射面とを有するプリズム部材を構成する分割プリズム部材であって、テラヘルツ波の一部を入射させる一部入射面と、一部入射面から入射したテラヘルツ波を全反射させる複数の全反射面と、全反射面で全反射したテラヘルツ波を出射させる一部出射面とを有する導波領域を備えることを特徴とする。
【００１８】
この分割プリズム部材は、テラヘルツ波の一部を入射させる一部入射面と、一部入射面から入射したテラヘルツ波を全反射させる複数の全反射面と、全反射面で全反射したテラヘルツ波を出射させる一部出射面とを有する導波領域を備えている。この分割プリズム部材では、テラヘルツ波の進行方向における寸法を抑えることができる。この分割プリズム部材をテラヘルツ波のビーム径に応じて積層配置することで、テラヘルツ波の進行方向における寸法を抑えたまま、波長板の入射面及び出射面を任意の大きさに設定できる。したがって、大きなビーム径に対しても波長板の小型化が図られる。
【発明の効果】
【００１９】
本発明によれば、広い波長領域にわたって適用可能であり、かつ大きなビーム径に対しても小型化が図られる。
【図面の簡単な説明】
【００２０】
【図１】本発明に係る波長板の一実施形態を示す斜視図である。
【図２】（ａ）は図１に示した波長板を構成する分割プリズム部材を示す斜視図であり、（ｂ）は（ａ）に示した分割プリズム部材の側面図である。
【図３】図１に示した分割プリズム部材の側面図である。
【図４】図１に示した分割プリズム部材の部分拡大図である。
【図５】実施例に係る波長板と比較例に係る波長板とを対比して示す側面図である。
【図６】図１に示した波長板をホルダに適用した例を示す斜視図である。
【図７】図６に示した波長板及びホルダを回転ホルダに適用した例を示す斜視図である。
【図８】変形例に係る波長板を示す斜視図である。
【図９】図８に示した波長板の側面図である。
【発明を実施するための形態】
【００２１】
以下、図面を参照しながら、本発明に係る波長板の好適な実施形態について詳細に説明する。
【００２２】
図１は、本発明に係る波長板の一実施形態を示す斜視図である。同図に示す波長板１は、テラヘルツ波を導波するプリズム部材２を備え、入射したテラヘルツ波の偏光状態を一定量変化させる素子として構成されている。テラヘルツ波としては、例えば３０ｍｍのビーム径を有するレーザービームが想定される。なお、本発明における「テラヘルツ波」とは、０．１ＴＨｚ〜１００ＴＨｚの振動数を有する電磁波を意味する。
【００２３】
プリズム部材２は、テラヘルツ波を入射させる入射面３と、入射面３から入射したテラヘルツ波を出射させる出射面４と、保持面７とを有している。入射面３は、テラヘルツ波Ｔをプリズム部材２内に入射させる面であり、プリズム部材１の一端側に位置している。入射面３には、テラヘルツ波Ｔが略垂直に入射するようになっている。出射面４は、テラヘルツ波Ｔを出射させる面であり、プリズム部材２の他端側に位置している。出射面４からは、入射面３に入射するテラヘルツ波Ｔの入射軸と、出射面４から出射するテラヘルツ波Ｔの出射軸とが略一致するように、テラヘルツ波Ｔが略垂直に出射するようになっている。
【００２４】
保持面７は、波長板１をホルダ等の保持部材に保持させるための面である。本実施形態では、保持面７は、第１の保持面７ａ、第２の保持面７ｂ、第３の保持面７ｃ、第４の保持面７ｄ、第５の保持面７ｅ、及び第６の保持面７ｆの計６面で構成されている。
【００２５】
プリズム部材２は、分割プリズム部材１２（１２ａ〜１２ｆ）を積層配置することで構成されている。図２（ａ）は、プリズム部材２を構成する分割プリズム部材１２を示す斜視図である。また、図２（ｂ）は図２（ａ）の側面図である。図２（ｂ）には、分割プリズム部材１２を通るテラヘルツ波Ｔの光軸を便宜的に鎖線で図示している。図２（ａ）及び図２（ｂ）に示す分割プリズム部材１２は、例えば１．５の屈折率を有するシクロオレフィンポリマーによって断面矩形に形成され、プリズム部材２を通るテラヘルツ波Ｔの一部を導波する導波領域を有している。この導波領域は、例えば一部入射面１３と、全反射面１５と、一部出射面１４と、当接面１６とによって構成されている。
【００２６】
一部入射面１３は、テラヘルツ波Ｔを分割プリズム部材１２内に入射させる面であり、分割プリズム部材１２の一端側に位置している。一部入射面１３には、テラヘルツ波Ｔの一部が略垂直に入射するようになっている。
【００２７】
全反射面１５は、一部入射面１３に入射したテラヘルツ波Ｔの一部を全反射させることにより、テラヘルツ波Ｔの位相を変化させる面である。本実施形態では、全反射面１５は、第１の全反射面１５ａ、第２の全反射面１５ｂ、第３の全反射面１５ｃ、及び第４の全反射面１５ｄの計４面で構成されている。第１の全反射面１５ａは、一部入射面１３側で分割プリズム部材１２の底面に位置しており、第２の全反射面１５ｂは、第１の全反射面１５ａと対向するように一部入射面１３側で分割プリズム部材１２の上面に位置している。第３の全反射面１５ｃは、一部出射面１４側で分割プリズム部材１２の上面に位置しており、第４の全反射面１５ｄは、第３の全反射面１５ｃと対向するように一部出射面１４側で分割プリズム部材１２の底面に位置している。
【００２８】
本実施形態では、テラヘルツ波Ｔの一部の光軸と第１の全反射面１５ａ〜第４の全反射面１５ｄの法線方向との間の傾斜角θ１〜θ４は、例えばいずれも５５°となっている。一部入射面１３に入射したテラヘルツ波Ｔの一部は、図２（ｂ）に示すように、第１の全反射面１５ａ、第２の全反射面１５ｂ、第３の全反射面１５ｃ、及び第４の全反射面１５ｄの順に全反射し、一部出射面１４に導波される。
【００２９】
一部出射面１４は、全反射面１５ａ〜１５ｄで全反射したテラヘルツ波Ｔの一部を出射させる面であり、分割プリズム部材１２の他端側に位置している。一部出射面１４からは、一部入射面１３に入射するテラヘルツ波Ｔの一部の入射軸と、一部出射面１４から出射するテラヘルツ波Ｔの一部の出射軸とが略一致するように、テラヘルツ波Ｔの一部が略垂直に出射するようになっている。
【００３０】
当接面１６は、分割プリズム部材１２を積層配置してプリズム部材２を構成する際に、積層方向に隣接する分割プリズム部材に当接する面である。本実施形態では、当接面１６は、第１の当接面１６ａ、第２の当接面１６ｂ、第３の当接面１６ｃ、第４の当接面１６ｄ、第５の当接面１６ｅ、及び第６の当接面１６ｆの計６面で構成されている。第１の当接面１６ａは、一部入射面１３と第１の全反射面１５ａとの間で分割プリズム部材１２の底面に位置しており、第２の当接面１６ｂは、第２の当接面１６ａと対向するように、一部入射面１３と第２の全反射面１５ｂとの間で分割プリズム部材１２の上面に位置している。
【００３１】
第３の当接面１６ｃは、第１の全反射面１５ａと第４の全反射面１５ｄの間で分割プリズム部材１２の底面に位置しており、第４の当接面１６ｄは、第３の当接面１６ｃと対向するように、第２の全反射面１５ｂと第３の全反射面１５ｃの間で分割プリズム部材１２の上面に位置している。また、第５の当接面１６ｅは、第４の全反射面１５ｄと一部出射面１４との間で分割プリズム部材１２の底面に位置しており、第６の当接面１６ｆは、第５の当接面１６ｅと対向するように、第３の全反射面１５ｃと一部出射面１４との間で分割プリズム部材１２の上面に位置している。これらの第１の当接面１６ａ〜第６の当接面１６ｆは、いずれもテラヘルツ波Ｔの入射軸及び出射軸と略平行に平坦に設けられている。
【００３２】
上述した分割プリズム部材１２内において、全反射面１５での全反射によるテラヘルツ波Ｔの位相の変化量δは、式（１）のとおりとなる。
【数１】
2015028559.tif 000003
【００３３】
ただし、式（１）中、ｎは分割プリズム部材１２の屈折率Ｎと分割プリズム部材１２の外側の媒質の屈折率Ｎｏｕｔとの比（Ｎｏｕｔ／Ｎ）を示し、θはテラヘルツ波の光軸と全反射面の法線方向との間の傾斜角を示す。
【００３４】
式（１）から明らかなように、全反射によるテラヘルツ波Ｔの位相の変化量δは、テラヘルツ波Ｔの波長に依存しておらず、全反射面１５の傾斜角θに依存している。このため、各全反射面１５ａ，１５ｂ，１５ｃ，１５ｄの傾斜角θを適宜設定することによって、各全反射面１５ａ，１５ｂ，１５ｃ，１５ｄでの全反射によるテラヘルツ波Ｔの位相の変化量の合計を所望の値とすることができる。したがって、分割プリズム部材１２によれば、波長領域の広いテラヘルツ波Ｔであっても、全波長領域にわたって所望の位相の変化量を実現できる。また、分割プリズム部材１２では、金属等による反射を用いずに全反射のみを利用しているため、テラヘルツ波Ｔの損失を抑制できる。
【００３５】
分割プリズム部材１２では、傾斜角θが５５°となっているため、式（１）から、位相の変化量δは４５°と求まる。したがって、各全反射面１５ａ，１５ｂ，１５ｃ，１５ｄでの全反射によるテラヘルツ波Ｔの位相の変化量の合計は、４５°×４＝１８０°すなわち１／２波長となる。
【００３６】
図３は、図１に示した波長板１の側面図である。本実施形態では、プリズム部材２は、６つの分割プリズム部材１２ａ〜１２ｆを隣接する分割プリズム部材１２の当接面１６同士が当接するように積層配置することで構成されている。
【００３７】
分割プリズム部材１２の積層により、プリズム部材２の入射面３は、各分割プリズム部材１２の一部入射面１３ａ〜１３ｆが連続することで構成され、出射面４は、各分割プリズム部材１２の一部出射面１４ａ〜１４ｆが連続することで構成される。また、全反射面１５は、各分割プリズム部材１２ａ〜１２ｆにおける全反射面１５ａ〜１５ｄの計２４面で構成される。
【００３８】
さらに、プリズム部材２の第１の保持面７ａ、第３の保持面７ｃ、及び第６の保持面７ｆは、それぞれ最下部に配置された分割プリズム部材１２ｆの第１の当接面１６ａ、第３の当接面１６ｃ、第６の当接面１６ｆによって構成される。また、プリズム部材２の第２の保持面７ｂ、第４の保持面７ｄ、及び第５の保持面７ｅは、それぞれ最上部に配置された分割プリズム部材１２ａの第２の当接面１６ｂ、第４の当接面１６ｄ、及び第５の当接面１６ｅによって構成される。
【００３９】
このようなプリズム部材２の構成により、入射面３に入射したテラヘルツ波Ｔの一部Ｔ１〜Ｔ６は、各分割プリズム部材１２ａ〜１２ｆの一部入射面１３にそれぞれ入射し、各分割プリズム部材１２ａ〜１２ｆの第１の全反射面１５ａ〜第４の全反射面１５ｄの順に全反射した後、各分割プリズム部材１２ａ〜１２ｆの一部出射面１４で集合して出射面４から出射する。
【００４０】
図４は、図３の部分拡大図である。本実施形態においては、一の分割プリズム部材１２における第２の全反射面１５ｂと、隣接する分割プリズム部材１２における第１の全反射面１５ａとの間に隙間部Ｇが形成されている。隙間部Ｇの間隔（全反射面１５ａと全反射面１５ｂとの間隔）は、例えばテラヘルツ波の全反射面１５ａ，１５ｂにおけるエバネッセント波の浸み出し深さｄｐ以上となっている。隙間部Ｇの間隔は、浸み出し深さｄｐの２倍以上であることが好ましく、浸み出し深さｄｐの３倍以上であることがより好ましく、浸み出し深さｄｐの６倍以上であることが更に好ましい。なお、浸み出し深さｄｐは、式（２）のとおりとなる。
【数２】
2015028559.tif 000004
【００４１】
ただし、式（２）中、ｎは分割プリズム部材１２の屈折率Ｎと隙間部Ｇを構成する媒質の屈折率ＮＧとの比（ＮＧ／Ｎ）を示し、θはテラヘルツ波の光軸と全反射面１５の法線方向との間の傾斜角を示す。同様の隙間部Ｇは、一の分割プリズム部材１２における第４の全反射面１５ｄと、隣接する分割プリズム部材１２における第３の全反射面１５ｃとの間にも形成されている。
【００４２】
また、本実施形態においては、図４に示すように、分割プリズム部材１２の第３の当接面１６ｃが、第２の当接面１６ｂ及び第５の当接面１６ｅよりも上側（第４の当接面１６ｄ側）に位置している。
【００４３】
以下、上記波長板１の作用効果を説明する。波長板１では、プリズム部材２が、分割プリズム部材１２ａ〜１２ｆを積層配置して構成されている。また、分割プリズム部材１２ａ〜１２ｆの一部入射面１３ａ〜１３ｆが、連続してプリズム部材２の入射面３を構成しており、かつ分割プリズム部材１２ａ〜１２ｆの一部出射面１４ａ〜１４ｆが、連続してプリズム部材２の出射面４を構成している。このため、テラヘルツ波Ｔの進行方向における各導波領域の寸法を抑えたまま、テラヘルツ波のビーム径に応じて入射面を大きくすることが可能となる。したがって、大きなビーム径に対しても波長板の小型化が図られる。
【００４４】
ここで、１／２波長板を作製するに際し、例えば図５（ａ）に示すように、入射面３と同じ大きさの入射面２３を有し、かつ単一の導波領域のみを備えるプリズム部材で１／２波長板２１を構成しようとした場合を考える。
【００４５】
図５（ａ）に示す比較例の波長板２１は、入射面２３と、出射面２４と、第１の全反射面２５ａと、第２の全反射面２５ｂと、第３の全反射面２５ｃと、第４の全反射面２５ｄとを有するプリズム部材２２を備えている。この波長板２１では、入射面２３と出射面２４とを直径３０ｍｍのテラヘルツ波Ｔに対応させた場合、テラヘルツ波Ｔの進行方向におけるプリズム部材２２の長さＬ’は、例えば１２２ｍｍとなる。
【００４６】
一方、図５（ｂ）に示す実施例の波長板１では、テラヘルツ波Ｔの進行方向における分割プリズム部材１２の長さＬは、例えば２９ｍｍとなる。この波長板１では、分割プリズム部材１２を積層し、入射面３と出射面４とを直径３０ｍｍのテラヘルツ波Ｔに対応させた場合であっても、テラヘルツ波Ｔの進行方向におけるプリズム部材２の寸法が分割プリズム部材１２の寸法のまま維持される。したがって、大きなビーム径に対しても波長板１の小型化が図られる。
【００４７】
また、各分割プリズム部材１２ａ〜１２ｆは、波長領域の広いテラヘルツ波Ｔであっても、全波長領域にわたって所望の位相の変化量を実現できる。したがって、波長板１においても同様に、波長領域の広いテラヘルツ波Ｔであっても、全波長領域にわたって所望の位相の変化量を実現できる。
【００４８】
また、波長板１では、隣接する分割プリズム部材１２の全反射面１５間に、テラヘルツ波Ｔの全反射面１５におけるエバネッセント波の浸み出し深さよりも大きな間隔の隙間部Ｇが配置されている。このため、隣接する分割プリズム部材１２を通るテラヘルツ波Ｔの全反射面１５におけるエバネッセント波が互いに干渉することを防止できる。したがって、エバネッセント波同士の干渉の影響を受けることなく、テラヘルツ波Ｔの位相変化量を所望の値とすることが可能となる。
【００４９】
また、波長板１では、分割プリズム部材１２の第３の当接面１６ｃが、第２の当接面１６ｂ及び第５の当接面１６ｅよりも上側（第４の当接面１６ｄ側）に位置している。この様な構成により、分割プリズム部材１２，１２の境界面付近に入射するテラヘルツ波Ｔを損失なく全反射面１５に導光することが可能となる。したがって、波長板１による光の損失の発生を低減できる。
【００５０】
また、分割プリズム部材１２ａ〜１２ｆは、テラヘルツ波Ｔの一部の入射軸と出射軸とが略一致するように構成されている。このため、図３に示すように、分割プリズム部材１２ａ〜１２ｆを積層した場合に、プリズム部材２におけるテラヘルツ波Ｔの入射軸と出射軸とを略一致させることができる。
【００５１】
波長板１を光学系に用いる場合、例えば波長板１をホルダ６ａに保持させたものを（図６参照）、図７に示すように回転ホルダ６ｂに装着することができる。波長板１では、プリズム部材２におけるテラヘルツ波Ｔの入射軸と出射軸とが略一致しているので、入射軸及び出射軸を中心に回転ホルダ６ｂを回転させることで、テラヘルツ波Ｔの入射軸及び出射軸にずれが生じることなく、容易に光学系を調整できる。
【００５２】
また、波長板１は、テラヘルツ波Ｔの入射軸及び出射軸と平行な平坦面である保持面７を有するプリズム部材１を備えている。このため、図６に示すように、平坦な保持面７によって波長板１をホルダ６ａに保持させることが容易となる。
【００５３】
図８は、変形例に係る波長板を示す斜視図である。また、図９は、その側面図である。図８及び図９に示すように、変形例に係る波長板３１は、分割プリズム部材１２を用いず、一体的に形成されたプリズム部材３２によって構成されている点で第１実施形態と異なっている。
【００５４】
この波長板３１では、分割プリズム部材１２と同様の一部入射面４３、一部出射面４４、及び全反射面４５（４５ａ〜４５ｄ）を有する導波領域４２（４２ａ〜４２ｆ）がプリズム部材３２内に積層配置され、各導波領域４２の積層によって各一部入射面４３が連続してプリズム部材３２の入射面３を構成し、各一部出射面４４が連続してプリズム部材３２の出射面４を構成している。このような波長板３１においても、上記実施形態と同様の作用効果を奏する。なお、プリズム部材３２は、バルク型の材料の削り出しによって形成してもよく、分割プリズム部材１２を積層及び融着することによって形成してもよい。
【符号の説明】
【００５５】
１，３１…波長板、２，３２…プリズム部材、３…入射面、４…出射面、７…保持面、１２…分割プリズム部材、１３…一部入射面、１４…一部出射面、１５…全反射面、１６…当接面、Ｇ…隙間部、Ｔ…テラヘルツ波、θ…傾斜角。
【図１】
2015028559.tif 000005
【図２】
2015028559.tif 000006
【図３】
2015028559.tif 000007
【図４】
2015028559.tif 000008
【図５】
2015028559.tif 000009
【図６】
2015028559.tif 000010
【図７】
2015028559.tif 000011
【図８】
2015028559.tif 000012
【図９】
2015028559.tif 000013